(57)【要約】閉鎖近接スイッチ組立体は、内部容積を形成するために結合された、頂部エンクロージャおよび底部エンクロージャを含む。軸突起は頂部エンクロージャの頂面から上方に延び、閉鎖容積を有する内部孔部は、内部容積の一部を形成するために軸突起内に画定される。垂直軸の第１の端部は、軸が頂部エンクロージャおよび底部エンクロージャに対して回転するように、内部孔部の内部に回転可能に配置される。サマリウムコバルト・ターゲット磁石は軸に結合され、該ターゲット磁石は、ターゲット磁石を近接スイッチの頂部の所定の距離内部で回転させるとき、近接スイッチ内部のサマリウムコバルト・ドライバ磁石と相互作用する。該相互作用により、スイッチは第１の状態から第２の状態に、またはその逆に移動する。【選択図】図３
2014513402.tif 000002
【特許請求の範囲】
【請求項１】
ベース壁および前記ベース壁から下方に延びる複数の側壁を有する頂部エンクロージャであって、前記ベース壁および前記複数の側壁は、第１の容積を少なくとも部分的に画定し、軸突起は前記ベース壁の頂面から上方に延び、内部孔部は、前記内部孔部が前記第１の容積の一部を形成するように、前記軸突起内部に画定され、前記内部孔部は閉鎖容積を画定する、頂部エンクロージャと、
ベース壁および前記ベース壁から上方に延びる複数の側壁を有する底部エンクロージャであって、前記ベース壁および前記複数の側壁は、第２の容積を少なくとも部分的に画定し、軸開口部は前記ベース壁内に配置され、前記軸開口部は前記ベース壁を通って延在し、前記頂部エンクロージャは、前記第１の容積および前記第２の容積が内部容積を画定するために協働するように、また前記軸開口部の長軸が前記内部孔部の長軸と位置合わせするように、前記底部エンクロージャに結合される、底部エンクロージャと、
第１の端部、前記第１の端部と反対側の第２の端部、および前記第１の端部と前記第２の端部との間の第１の中間部を有する軸であって、前記軸の前記第１の端部は、前記頂部エンクロージャの前記軸突起内に形成された前記内部孔部の内部に配置され、前記軸の前記第１の中間部は、前記底部エンクロージャ内に形成された前記軸開口部を通って延在し、前記軸の前記第２の端部は、前記内部容積の外部に配置され、前記軸は、前記頂部エンクロージャおよび前記底部エンクロージャに対して回転可能である、軸と、
前記軸の第２の中間部に回転不能に結合されたターゲット支持部であって、前記第２の中間部は、前記第１の中間部と前記軸の前記第１の端部との間に配置され、前記ターゲット支持部は、前記軸から離れて延在する半径方向部を含む、ターゲット支持部と、
前記ターゲット支持部の前記半径方向部に結合されたターゲット磁石と、
前記軸が第１の軸位置内にあるとき、前記ターゲット磁石が少なくとも１つの近接スイッチの頂部からある距離を隔てて配置され、それによって前記近接スイッチが第１の状態になるように、また前記軸を第２の軸位置の中で回転させるとき、前記ターゲット磁石は、前記少なくとも１つの近接スイッチの前記頂部に隣接して配置され、それによって前記近接スイッチが第２の状態になるように、前記内部容積の内部に配置され、前記底部エンクロージャに結合された少なくとも１つの近接スイッチであって、前記第１の状態および前記第２の状態のそれぞれは、前記軸の前記第２の端部に結合された弁要素の一部に対応する、少なくとも１つの近接スイッチと、を備える閉鎖近接スイッチ組立体。
【請求項２】
前記軸の前記第１の端部は円筒形であり、円筒形の内側側面は前記軸突起の前記内部孔部を部分的に画定する、請求項１に記載の閉鎖近接スイッチ組立体。
【請求項３】
前記軸突起の外表面は円筒形状である、請求項１または２のいずれか一項に記載の閉鎖近接スイッチ組立体。
【請求項４】
前記軸が前記第１の軸位置にあるとき、前記ターゲット磁石は、前記少なくとも１つの近接スイッチの前記頂部の所定の範囲外にあり、前記軸が前記第２の軸位置にあるとき、前記ターゲット磁石は、前記少なくとも１つの近接スイッチの前記頂部の所定の範囲内にある、請求項１乃至３のいずれか一項に記載の閉鎖近接スイッチ組立体。
【請求項５】
前記第１の軸位置において、ドライバ磁石は、前記近接スイッチが前記第１の状態にあるようにレバーを第１の位置に維持するために、前記近接スイッチ内部に枢動可能に配置された前記レバー上に磁力をもたらす、請求項１乃至４のいずれか一項に記載の閉鎖近接スイッチ組立体。
【請求項６】
前記第２の軸位置において、前記ターゲット磁石と前記レバーとの間の磁力は、前記ドライバ磁石と前記レバーとの間の前記磁力より大きく、したがって、前記レバーは、前記近接スイッチが前記第２の状態にあるように、前記第１の位置から第２の位置に枢動する、請求項１乃至５のいずれか一項に記載の閉鎖近接スイッチ組立体。
【請求項７】
前記ターゲット磁石はサマリウムコバルト磁石であり、前記ドライバ磁石はサマリウムコバルト磁石である、請求項１乃至６のいずれか一項に記載の閉鎖近接スイッチ組立体。
【請求項８】
２つの近接スイッチは、前記底部エンクロージャに固定して結合される、請求項１乃至７のいずれか一項に記載の閉鎖近接スイッチ組立体。
【請求項９】
前記２つの近接スイッチは、水平基準線が、前記軸の長軸および前記２つの近接スイッチのそれぞれの長軸を通過し得るように、前記軸を中心に対称に配置される、請求項１乃至８のいずれか一項に記載の閉鎖近接スイッチ組立体。
【請求項１０】
前記頂部エンクロージャは、底部エンクロージャに可動に結合される、請求項１乃至９のいずれか一項に記載の閉鎖近接スイッチ組立体。
【請求項１１】
前記頂部エンクロージャは、前記複数の側壁によって画定される外周から水平方向に延びるフランジを含み、前記底部エンクロージャは、前記複数の側壁によって画定される外周から水平方向に延びるフランジを含む、請求項１乃至１０のいずれか一項に記載の閉鎖近接スイッチ組立体。
【請求項１２】
少なくとも１つの嵌合開口部は、前記頂部エンクロージャの前記フランジ内に形成され、少なくとも１つの嵌合開口部は、前記底部エンクロージャの前記フランジ内に形成され、前記頂部エンクロージャの前記少なくとも１つの嵌合開口部は、前記底部エンクロージャの前記少なくとも１つの嵌合開口部と軸方向に位置合わせされる、請求項１乃至１１のいずれか一項に記載の閉鎖近接スイッチ組立体。
【請求項１３】
ボルトは、前記頂部エンクロージャを前記底部エンクロージャに結合させるために、前記位置合わせされた嵌合開口部内に配置される、請求項１乃至１２のいずれか一項に記載の閉鎖近接スイッチ組立体。
【請求項１４】
前記ターゲット支持部は、前記軸の前記第２の中間位置に結合されたベース部を含み、前記半径方向部は、前記ベース部から延びる片持突出部である、請求項１乃至１３のいずれか一項に記載の閉鎖近接スイッチ組立体。
【発明の詳細な説明】
【技術分野】
【０００１】
本開示は、一般にエンクロージャに関し、より詳細には、少なくとも１つの磁気近接スイッチによって検出される、少なくとも１つの磁性ターゲットを含む封止エンクロージャに関する。
【背景技術】
【０００２】
磁気近接スイッチは、リミットスイッチとしても公知であり、一般に位置検出のために使用される。通常、磁気近接スイッチ組立体は、ターゲットおよびスイッチング回路を含む近接スイッチを含む。スイッチング回路は、近接スイッチの筐体内に包含される永久磁石により第１の位置に付勢される、レバーなどの要素を含んでもよい。レバーがこの第１の位置にあるとき、近接スイッチは第１の状態に維持され、たとえば、その状態で通常閉じた接点は共通接点と接触する。概して永久磁石を含むターゲットが、近接スイッチの所定の範囲内を通るとき、ターゲット磁石によって生成された磁束により、スイッチング回路のレバーがバイアスを第１の状態から第２の状態に変更し、たとえば、その状態で通常開いた接点が共通接点と接触する。
【０００３】
一部の応用では、１つまたは複数のターゲット磁石および１つまたは複数の近接スイッチは、近接スイッチを損傷から保護するために封止エンクロージャ内部に配置されてもよい。この構成は、一般に磁気近接スイッチ組立体が、核応用などの危険な環境に使用される場合である。こうした応用では、エンクロージャは、核施設で格納容器の事故またはＬＯＣＡ（ｌｏｓｓ  ｏｆ  ｃｏｏｌａｎｔ  ａｃｃｉｄｅｎｔ（冷却材流出事故））中に起きる高温および圧力に耐えることが意図される。通常、エンクロージャ内部に垂直に配置された軸は、ターゲット磁石が固定近接スイッチに対して軸とともに回転する際に、ターゲット磁石を支持する。通常、軸の頂部は、エンクロージャの頂部を通って延在する頂部開口部内部に配置された封止頂部軸受組立体に結合され、軸の底部は、エンクロージャの底部を通って延在する底部開口部内に受領される。底部開口部を通って延在する軸の底部は、通常、核応用のために使用される制御弁の回転ステムなどの弁要素に結合され、ステムの回転は、エンクロージャ内部に配置された近接スイッチの所定の範囲内でターゲット磁石を回転させる弁で検出されることが可能であり、それによって制御弁が特定の位置にあることが示される。別法として、制御弁の回転ステムは、ターゲット磁石を近接スイッチの所定の範囲外に移動させてもよく、それによって制御弁が特定の位置から移動したことが示される。
【発明の概要】
【発明が解決しようとする課題】
【０００４】
磁気近接スイッチ組立体が使用される危険な環境に起因して、エンクロージャは、高圧下での高温気体または他の汚染物質がエンクロージャの中に入ることができないように封止されなければならない。
【課題を解決するための手段】
【０００５】
本発明の一例示的態様によれば、閉鎖近接スイッチ組立体は、ベース壁、およびベース壁から下方に延びる複数の側壁を有する頂部エンクロージャを含み、ベース壁および複数の側壁は第１の容積を少なくとも部分的に画定してもよい。軸突起はベース壁の頂面から上方に延びてもよく、内部孔部は、内部孔部が第１の容積の一部を形成するように、軸突起内部に画定されてもよい。内部孔部は閉鎖容積を画定してもよい。また近接スイッチ組立体は、ベース壁およびベース壁から上方に延びる複数の側壁を有する底部エンクロージャを含み、ベース壁および複数の側壁は、第２の容積を少なくとも部分的に画定する。軸開口部はベース壁内に画定されてもよく、軸開口部はベース壁を通って延在してもよい。頂部エンクロージャは、第１の容積および第２の容積が内部容積を画定するために協働するように、底部エンクロージャに結合されてもよい。そのように構成されると、軸開口部の長軸は、内部孔部の長軸と位置合わせされてもよい。また近接スイッチ組立体は、第１の端部、第１の端部と反対側の第２の端部、および第１の端部と第２の端部との間の第１の中間部を有する軸を含み、軸の第１の端部は、頂部エンクロージャの軸突起内に形成された内部孔部の内部に配置される。軸の第１の中間部は、底部エンクロージャ内に形成された軸開口部を通って延在してもよく、軸の第２の端部は、内部容積の外部に配置されてもよい。軸は、頂部エンクロージャおよび底部エンクロージャに対して回転可能である。加えて、近接スイッチ組立体は、軸の第２の中間部に回転不能に結合されたターゲット支持部を含み、第２の中間部は、軸の第１の中間部と第１の端部との間に配置される。ターゲット支持部は軸から離れて延在する半径方向部を含み、ターゲット磁石５８は、ターゲット支持部の半径方向部に結合されてもよい。図３および８〜１１Ｂに示されたように、近接スイッチ組立体は、内部容積の内部に配置され、軸が第１の軸位置内にあるとき、ターゲット磁石が少なくとも１つの近接スイッチの頂部からある距離を隔てて配置され、それによって近接スイッチが第１の状態になるように、底部エンクロージャに結合された、少なくとも１つの近接スイッチを含む。軸が第２の軸位置の中に回転されるとき、ターゲット磁石は、少なくとも１つの近接スイッチの頂部に隣接して配置され、それによって近接スイッチが第２の状態になる。第１の状態および第２の状態のそれぞれは、軸の第２の端部に結合された弁要素の一部に対応してもよい。
【図面の簡単な説明】
【０００６】
【図１】閉鎖近接スイッチ組立体の一実施形態の外部の斜視図である。
【図２】図１の閉鎖近接スイッチ組立体の実施形態の平面図である。
【図３】図２の３−３切断線に沿った閉鎖近接スイッチ組立体の断面側面図である。
【図４】明確にするために、軸を割愛した図３の軸突起の側面図である。
【図５】図１の閉鎖近接スイッチ組立体の実施形態の軸の側面図である。
【図６】図２の６−６切断線に沿った閉鎖近接スイッチ組立体の断面側面図である。
【図７Ａ】明確にするために、頂部エンクロージャを取り除いた図１の閉鎖近接スイッチ組立体の実施形態の斜視図である。
【図７Ｂ】図１の閉鎖近接スイッチ組立体の実施形態のターゲット支持部の側面図である。
【図８】図１に示された閉鎖近接スイッチ組立体の実施形態の近接スイッチの分解斜視図である。
【図９】図８の近接スイッチのスイッチ組立体の側面図である。
【図１０Ａ】第１の状態における図８の近接スイッチの概略図である。
【図１０Ｂ】第２の状態における図８の近接スイッチの概略図である。
【図１１Ａ】第１の軸位置内のターゲット磁石および近接スイッチの平面図である。
【図１１Ｂ】第２の軸位置内のターゲット磁石および近接スイッチの平面図である。
【発明を実施するための形態】
【０００７】
図３に示されたように、閉鎖近接スイッチ組立体１０は、ベース壁１４およびベース壁１４から下方に延びる複数の側壁１６を有する頂部エンクロージャ１２を含み、ベース壁１４および複数の側壁１６は、第１の容積１８を少なくとも部分的に画定してもよい。軸突起２０はベース壁１４の頂面２２から上方に延びてもよく、内部孔部２４は、内部孔部２４が第１の容積１８の一部を形成するように、軸突起２０内部に画定されてもよい。内部孔部２４は閉鎖容積を画定してもよい。また近接スイッチ組立体１０は、ベース壁３０およびベース壁３０から上方に延びる複数の側壁３２を有する底部エンクロージャ２８を含み、ベース壁３０および複数の側壁３２は、第２の容積３４を少なくとも部分的に画定する。軸開口部３６はベース壁３０内に画定されてもよく、軸開口部３６はベース壁３０を通って延在してもよい。頂部エンクロージャ１２は、第１の容積１８および第２の容積３４が内部容積３８を画定するために協働するように、底部エンクロージャ２８に結合されてもよい。そのように構成されて、軸開口部３６の長軸４０は内部孔部２４の長軸４２と位置合わせされてもよい。また近接スイッチ組立体１０は、第１の端部４６、第１の端部４６と反対側の第２の端部４８、および第１の端部４６と第２の端部４８との間の第１の中間部５０を含み、軸の第１の端部４６は、頂部エンクロージャ１２の軸突起２０内に形成された内部孔部２４の内部に配置される。軸４４の第１の中間部５０は、底部エンクロージャ内に形成された軸開口部３６を通って延在してもよく、軸の第２の端部は、内部容積３８の外部に配置されてもよい。軸４４は、頂部エンクロージャ１２および底部エンクロージャ２８に対して回転可能である。加えて、近接スイッチ組立体１０は、軸４４の第２の中間部５４に回転不能に結合されたターゲット支持部５２を含み、第２の中間部５４は、軸４４の第１の中間部５０と第１の端部４６との間に配置される。ターゲット支持部５２は、軸から離れて延在する半径方向部５６を含み、ターゲット磁石５８は、ターゲット支持部５２の半径方向部５６に結合されてもよい。図３および８〜１１Ｂに示されたように、近接スイッチ組立体１０は、内部容積３８の内部に配置され、軸４４が第１の軸位置６１内にあるとき、ターゲット磁石５８が少なくとも１つの近接スイッチ６０の頂部６４からある距離を隔てて配置され、それによって近接スイッチ６０が第１の状態６６になるように、底部エンクロージャ２８に結合された、少なくとも１つの近接スイッチ６０を含む。軸４４が第２の軸位置６３の中に回転されるとき、ターゲット磁石５８は、少なくとも１つの近接スイッチ６０の頂部６４に隣接して配置され、それによって近接スイッチが第２の状態７０になる。第１の状態６６および第２の状態７０のそれぞれは、軸４４の第２の端部４８に結合された弁要素の一部に対応してもよい。
【０００８】
図１、２、３、および６に示されたように、閉鎖近接スイッチ組立体１０は、ベース壁１４を含み得る頂部エンクロージャ１２を含んでもよい。頂部エンクロージャ１２のベース壁１４は長方形状でもよく、実質的に平面であってもよく、ベース壁１４によって形成された平面は実質的に水平であってもよい。本明細書に使用される場合、用語「水平」は、図１に示された基準座標系のＸＹ平面と実質的に同一平面上にある、または実質的に平行である方向を示す。用語「垂直」は、図１に示された基準座標系のＸＹ平面に実質的に垂直である方向（すなわち、Ｚ軸の方向）を示す。ベース壁１４に水平に配置される代わりに、平面ベース壁１４は、ＸＹ平面に対して斜めに配置されてもよい。加えて、図１に示された平面構成よりむしろ、ベース壁１４は特定用途に適切なあらゆる形状を有してもよい。たとえば、ベース壁１４は湾曲した断面形状を有してもよく、あるいは丸みを帯びた形状であってもよく、またはベース壁１４は部分的に湾曲し／丸みを帯び、部分的に平面であってもよい。加えて、ベース壁１４は、階段状表面を形成するために垂直にずれた（図示せず）２つ以上の平面部を含んでもよい。
【０００９】
図１、２、３、および６を再度参照すると、頂部エンクロージャ１２は、ベース壁１４から下方に延びる複数の側壁１６を含んでもよい。より具体的には、複数の下方に延びる側壁１６は、ベース壁１４の第１の外周縁部７４から延びる第１の壁７２を含んでもよい。第２の壁７６は、ベース壁１４の第２の外周縁部７８から延びてもよく、第２の外周縁部７８は、第１の外周縁部７４から反対側に配置されてもよい。第３の壁８０は、ベース壁１４の第３の外周縁部８２から延びてもよく、第３の外周縁部８２は、第１の外周縁部７４と第２の外周縁部７８との間に延在してもよい。第４の壁８４は、第３の外周縁部８２と反対側にあるベース壁１４の第４の外周縁部８６から延びてもよく、第４の外周縁部８６は、第１の外周縁部７４と第２の外周縁部７８との間に延在してもよい。複数の側壁１６のそれぞれは、図１、２、３、および６に示されたように、ベース壁１４から斜めに延びてもよい。しかし、任意のまたはすべての複数の側壁１６は、ベース壁１４から離れてあらゆる適切な手法で、または方向に、たとえば垂直に延びてもよい。複数の側壁１６のそれぞれは図１〜３に平面として示されているが、任意のまたはすべての複数の側壁１６は、丸みを帯びた、または部分的に平面もしくは部分的に丸みを帯びたなどの、あらゆる適切な形状を有してもよい。さらに、複数の側壁１６は、図１、２、３、および６に示されたより多い（または少ない）壁を含んでもよい。上部フランジ８８は、複数の側壁１６のそれぞれの底部から水平に延びてもよく、上部フランジ８８は、その中に配置された複数の嵌合開口部９０ａを有してもよく、嵌合開口部９０ａは、頂部エンクロージャ１２を底部エンクロージャ２８に結合させるボルトを受領するように適合される。構成されたように、ベース壁１４および複数の下方に延びる側壁１６は、第１の容積１８を少なくとも部分的に画定してもよい。
【００１０】
図１、３、４、および６に示されたように、頂部エンクロージャ１２は、ベース壁１４の頂面２２から上方に延びる軸突起２０を含んでもよい。軸突起２０は、外表面９０を含んでもよく、外表面９０は、あらゆる適切な形状または形状の組合せを有してもよい。たとえば、外表面９０は、外表面９０が円筒形であるように、円形断面形状を有してもよい。別法として、外表面９０は、たとえば、長円形または多角形の断面形状を有してもよい。また軸突起２０は頂面９２を有してもよく、頂面９２は平面でもよい。しかし、頂部９２は、たとえば、円錐形状もしくは半球形状などのあらゆる適切な形状または形状の組合せを有してもよい。内側側面９４は、軸突起２０の内部孔部２４を部分的に画定してもよく、内部孔部２４は、軸４４が頂部エンクロージャ１２に対して回転できる手法で、軸４４の第１の端部４６を受領するように適合されてもよい。内側側面９４は、あらゆる適切な形状または形状の組合せを有してもよい。たとえば、内側側面９４は、内側側面９４が円筒形であるように、円形断面形状を有してもよい。円筒形の内側側面９４は、長軸４２を有してもよく、円筒形の内側側面９４は、軸４４の第１の端部４６を受領するようにサイズ化されてもよい。軸突起２０の内部孔部２４は、さらに内側頂面９６によって画定されてもよく、内側頂面９６は、あらゆる適切な形状または形状の組合せを有してもよい。たとえば、内側頂面９６は、円錐形、平面、または半球形であってもよい。構成されたように、内側側面９４および内側頂面９６は、第１の容積１８の一部を形成する軸突起２０内部の閉鎖容積（すなわち、内部孔部２４）を少なくとも部分的に画定するように協働する。内部孔部２４は、頂部エンクロージャ１２の外部と流体連通しない閉鎖容積であるので、内部孔部２４は、内部孔部２４と頂部エンクロージャ１２の外部との間に潜在的なリークパスを提供することなく、軸４４の第１の端部４６を受領するように適合されたブラインド孔を形成する。
【００１１】
図１、３、および６に示されたように、閉鎖近接スイッチ組立体１０はまた、ベース壁３０を含み得る底部エンクロージャ２８を含んでもよい。底部エンクロージャ２８のベース壁３０は長方形状でもよく、かつ実質的に平面でもよく、ベース壁３０によって形成された平面は、実質的に水平で頂部エンクロージャ１２のベース壁１４に平行であってもよい。ベース壁３０に水平に配置される代わりに、平面ベース壁３０は図１に示されたＸＹ基準面に対して斜めに配置されてもよい。加えて、図１に示された平面構造より、むしろベース壁３０は、特定用途に適したあらゆる形状を有してもよい。たとえば、ベース壁３０は、湾曲した断面形状を有してもよく、あるいは丸みを帯びた形状であってもよく、またはベース壁３０は部分的に湾曲し／丸みを帯び、部分的に平面であってもよい。加えて、ベース壁３０は、階段状表面を形成するために垂直にずれた（図示せず）２つ以上の平面部を含んでもよい。
【００１２】
図１、３、および６を再度参照すると、底部エンクロージャ２８は、ベース壁３０から上方に延びる複数の側壁３２を含んでもよい。より具体的には、複数の上方に延びる側壁３２は、ベース壁３０の第１の外周縁部９６から延びる第１の壁９４を含んでもよい。第２の壁９８は、ベース壁３０の第２の外周縁部１００から延びてもよく、第２の外周縁部１００は、第１の外周縁部９６から反対側に配置されてもよい。第３の壁１０２は、ベース壁３０の第３の外周縁部１０４から延びてもよく、第３の外周縁部１０４は、第１の外周縁部９６と第２の外周縁部１００との間に延在してもよい。第４の壁１０６は、第３の外周縁部１０４と反対側にあるベース壁３０の第４の外周縁部１０８から延びてもよく、第４の外周縁部１０８は、第１の外周縁部９６と第２の外周縁部１００との間に延在してもよい。複数の側壁３２のそれぞれは、図１、３、および６に示されたように、ベース壁３０から斜めに離れて延びてもよい。しかし、任意のまたはすべての複数の側壁３２は、ベース壁３０から離れてあらゆる適切な手法で、または方向に、たとえば垂直に延びてもよい。複数の側壁３２のそれぞれは図１、３、および６に平面として示されているが、任意のまたはすべての複数の側壁３２は、丸みを帯びた、または部分的に平面もしくは部分的に丸みを帯びたなどの、あらゆる適切な形状を有してもよい。さらに、複数の側壁３２は、図１、３、および６に示されたより多い（または少ない）壁を含んでもよい。構成されたように、ベース壁３０および複数の下方に延びる側壁３２は、第２の容積３４を少なくとも部分的に画定してもよい。
【００１３】
図１、３、および６を再度参照すると、底部エンクロージャ２８は、１つまたは複数の側部開口部１２８を含んでもよく、各側部開口部１２８はあらゆる適切な場所に形成されてもよい。たとえば、側部開口部１２８は、第４の壁１０６を通るような複数の側壁３２の１つを通って延在してもよい。側部開口部１２８は、ねじ山を備えた外面を有する継手が側部開口部１２８と係合できるように、少なくとも部分的にねじ切られていてもよい内表面によって画定されてもよい。側部開口部１２８はあらゆる適切な形状を有してもよい。たとえば、側部開口部１２８は円形断面形状を有してもよい。側部開口部１２８は、１つまたは複数の近接スイッチ６０を外部に配置されたハードウェアに連結させる、複数のワイヤを含むように適合された導管の長さの継手を受領するようにサイズ化されてもよい。
【００１４】
図１、３、および６を再度参照すると、底部エンクロージャ２８は、ベース壁３０を通って配置される軸開口部３６を含んでもよい。軸開口部３８は、軸４４の第１の中間部５０を受領するようにサイズ化されてもよい。軸開口部３６がベース壁３０を通って延在するので、第２の容積３４は、軸４４が軸開口部３６を通って配置されない場合、底部エンクロージャ２８の外部と流体連通する。軸開口部３６は、ベース壁３０から上方に延びる、上部ボス部１２２の内側表面１２０により部分的に画定されてもよい。加えて、軸開口部３６はさらに、ベース壁３０から下方に延びる、下部ボス部１２２の内側表面１２４により部分的に画定されてもよい。上部ボス部１２２の内側表面１２０および下部ボス部１２２の内側表面１２４のそれぞれは、軸開口部２８が長軸４０を有する円筒形の全体形状を有するように、円筒形であってもよい。頂部エンクロージャ１２が以下に記載されるように底部エンクロージャに結合される場合、内部孔部２４の長軸４２は、軸開口部２８の長軸４０と軸方向に位置合わせされる。
【００１５】
図１、３、および６を再度参照すると、下部フランジ１１０は、複数の側壁３２のそれぞれの頂部から水平に延びてもよく、下部フランジ１１０は、上部フランジ８８の対応する係合表面１１４と係合する係合表面１１２を有してもよい。封止部１１６は、複数の側壁３２のそれぞれの頂部に沿って延在する凹所内に配置されてもよく、封止部１１６は、頂部エンクロージャ１２が底部エンクロージャ２８に結合される場合、下部フランジ１１０の係合表面１１２と上部フランジ８８の係合表面１１４との間にリークパスが生じないように適合される。封止部１１６は、放射線耐性の高温シリコーン材料から作成されてもよい。凹所内の封止部１１６の代わりに、あらゆる封止の配置を使用してもよい。たとえば、下部フランジ１１０の係合表面１１２と上部フランジ８８の係合表面１１４との間にガスケットを配置してもよい。
【００１６】
頂部エンクロージャ１２は、底部エンクロージャ２８に当技術分野に公知のあらゆる手段で結合されてもよい。たとえば、下部フランジ１１０は、その中に配置された複数の嵌合開口部９０ｂを有してもよく、嵌合開口部９０ｂは、嵌合開口部９０ａ、９０ｂのそれぞれの対が頂部エンクロージャ１２を底部エンクロージャ２８に結合させるように適合されたボルト１１８を受領し得るように、上部フランジ８８の嵌合開口部９０ａと同軸上に位置合わせされる。ボルト１１８はねじ山を備えた底部を有してもよく、ボルトのねじ山を備えた底部は、嵌合開口部９０ａ、９０ｂの一方または両方のねじ山を備えた内部と係合してもよい。記載されたように組み合わせられると、ベース壁３０および複数の下方に延びる側壁３２は、第２の容積３４を少なくとも部分的に画定してもよく、頂部エンクロージャ１２が底部エンクロージャ２８に固定される場合、第１の容積１８および第２の容積３４は内部容積３８を形成する。
【００１７】
頂部エンクロージャ１２および底部エンクロージャ２８は、あらゆる適切な材料から製造されてもよい。たとえば、頂部エンクロージャ１２および底部エンクロージャ２８は、アルミニウムまたは３１６ステンレス鋼などの、金属または金属合金から形成されてもよい。金属または金属合金エンクロージャ１２、２８は、鋳造または機械加工などのあらゆるプロセスまたはプロセスの組合せによって形成されてもよい。別法として、頂部エンクロージャ１２および底部エンクロージャ２８はプラスチックから作成されてもよく、エンクロージャ１２、２８は射出成形プロセスから形成されてもよい。
【００１８】
図３、５、および６に示されたように、閉鎖近接スイッチ組立体１０はまた、頂部エンクロージャ１２および底部エンクロージャ２８に対して回転可能な、軸４４を含んでもよい。軸は、第１の端部４６および第１の端部４６と反対側の第２の端部４８を有する細長い形状を有してもよい。第１の端部４６は円形断面形状を有してもよく、第１の端部４６の円形断面形状の直径は、頂部エンクロージャ１２の軸突起２０の内部孔部２４を画定する、内側側面９４の円形断面形状の直径よりわずかに小さくてもよい。そのように構成されると、軸の第１の端部４６は、閉鎖内部孔部２４内部に回転可能に配置される。軸４４は、軸４４の第１の端部４６と第２の端部４８との間に配置された第１の中間部５０を有してもよい。第１の中間部５０は円形断面形状を有してもよく、第１の中間部５０の円形断面形状の直径は、第１の中間部５０が軸開口部２８を通って延在し、軸開口部２８内部に回転可能に配置されるように、軸開口部２８の円形断面形状の直径よりわずかに小さい。そのように構成されると、軸の第２の端部４８は、頂部エンクロージャ１２および底部エンクロージャ２８によって形成された内部容積３８の外部に配置される。たとえば、軸４４の第２の端部４８は、底部エンクロージャ２８のベース壁３０から下方に突出する、下部ボス部１２６を超えて延びてもよい。軸４４は、あらゆる適切な形状または形状の組合せを有してもよい。たとえば、軸４４は、実質的に均一な断面形状を有する、実質的に円筒形状を有してもよい。
【００１９】
図３および６に示されたように、軸４４は、軸４４の第１の中間部５０内に形成された溝内に配置された１対のスナップリング１３０により所望の位置に維持されてもよい。対のスナップリング１３０の一方は、上部ボス部１２２の遠位端に隣接してまたは接して配置されてもよく、対のスナップリング１３０の他方は、下部ボス部１２６の遠位端に隣接してまたは接して配置されてもよく、それによって底部エンクロージャ２８に対して軸４４が上方および／または下方にずれることを防止する。Ｏリングなどの封止部１３２は、軸４４の第１の中間部５０の周囲に延在する凹所内に配置されてもよい。封止部１３２は、軸４４の第１の中間部５０と内側表面１２０、１２４との間にリークパスが生じないために、軸開口部２８を画定する内側表面１２０、１２４を封止して係合するように適合される。封止部１３２は、放射線耐性の高温シリコーン材料から作成されてもよい。
【００２０】
図３、７Ａ、および７Ｂに示されたように、閉鎖近接スイッチ組立体１０はまた、ターゲット支持部５２を含んでもよい。ターゲット支持部５２は、軸４４の第２の中間部５４に結合されたベース部１３４を含んでもよく、第２の中間部５４は、軸４４の第１の端部４６と第１の中間部５０との間に配置される。より具体的には、ベース部１３４は、ベース部１３４の頂部から底部に延在する開口部１３６を有してもよく、開口部１３６は、軸４４の第２の中間部５４を受領する。ベース部１３４は、ターゲット支持部５２が軸４４に沿って回転するように軸４４に固定されてもよく、ベース部１３４を、たとえば、位置決めねじ、キーおよびスロット、または締りばめなどの、当技術分野に公知のあらゆる手段により、軸４４に対して回転するのを防止してもよい。加えて、１つまたは複数のスナップリング（図示せず）は、ターゲット支持部５２が下部にずれるのを防止するために、ベース部１３４の底部に隣接した軸４４に結合されてもよい。ベース部１３４は、軸に恒久的に固定されてもよく、またはベース部１３４は、ベース部１３４を軸４４に対して垂直に再配置できるように、解放可能に固定されてもよい。ベース部１３４はあらゆる適切な形状または形状の組合せを有する。たとえば、ベース部１３４は、円形もしくは卵形断面形状を有してもよく、またはベース部１３４は、正方形もしくは長方形の形状などの、多角形断面形状を有してもよい。ベース部１３４は、ターゲット支持部５２が軸４４とともに回転するとき、ベース部１３４が、１つまたは複数の近接スイッチ６０などの内部容積の内部に含まれるいかなる要素にも接触しないように寸法化されてもよい。
【００２１】
図３、７Ａ、および７Ｂを再度参照すると、ターゲット支持部５２はまた、半径方向部５６が軸４４から離れて延在するように、ベース部１３４に結合された半径方向部５６を含んでもよい。半径方向部５６は、所与の用途に適切なあらゆる形状または形状の組合せを有してもよい。たとえば、半径方向部５６は、ベース部１３４から延びる片持突出部であってもよく、半径方向部５６は、長方形断面形状を有してもよい。ターゲット支持部５２が使用される２つ以上の半径方向部５６を含む場合、各半径方向部は、ベース部１３４から延びる片持突出部であってもよい。各半径方向部５６はそれを通って延在するターゲット開口部１３８を含んでもよく、ターゲット開口部１３８の長軸は実質的に垂直であってもよい。ターゲット開口部１３８はターゲット磁石５８を受領するようにサイズ化されてもよい。ターゲット磁石５８は、特定用途に適切なあらゆる形状またはサイズを有してもよい。たとえば、ターゲット磁石５８は円筒形状を有してもよく、円筒形の深さは、ターゲット磁石５８がターゲット開口部１３８内部に垂直に調節され得るように、半径方向部５６の垂直高さより小さくてもよい。ターゲット磁石５８は、接着剤により、または磁力によるなどの、当技術分野に公知のあらゆる手段により、ターゲット開口部１３８内部に固定されてもよい。加えて、ターゲット開口部１３８は、ターゲット磁石５８を担持するために、低減された厚さの底部を有するブラインド孔であってもよい。ターゲット開口部１３８およびその中に配置されたターゲット磁石５８は、半径方向部５６上のあらゆる適切な場所に配置されてもよい。たとえば、ターゲット開口部１３８は、半径方向部５６が近接スイッチ６０の上の位置まで回転するとき、ターゲット磁石５８の少なくとも一部が、近接スイッチ６０の頂部６４の上または近接スイッチ６０の頂部に隣接して配置されるように、半径方向部５６上に配置されてもよい。しかし、ターゲット開口部１３８は、ターゲット磁石５８を以下により詳細に記載される手法で近接スイッチ６０によって検出できる、半径方向部５６上のあらゆる場所に配置されてもよい。ターゲット磁石５８は、サマリウムコバルト磁石などの特定用途に適切なあらゆるタイプの磁石であってよい。
【００２２】
図３、７Ａ、８、および９に示されたように、閉鎖近接スイッチ組立体１０はまた、底部エンクロージャ２８に結合された１つまたは複数の近接スイッチ６０を含んでもよい。近接スイッチ６０は、所与の用途に対してあらゆる適切な形状を有する筐体１４０を含んでもよい。たとえば、筐体１４０は、第１の平面側壁１４２および第１の側壁１４２に平行で、第１の側壁１４２からずれている第２の平面側壁１４４を含んでもよい。第３の平面側壁１４６は、第１の側壁１４２と、第１の側壁１４２の第１の外側縁に沿った第２の側壁１４４との間に垂直に延在してもよく、第４の平面側壁１４８は、第１の側壁１４２と、第１の側壁１４２の第２の外側縁に沿った第２の側壁１４４との間に垂直に延在してもよい。平面端壁１４８は、第１の側壁１４２、第２の側壁１４４、第３の側壁１４６、および第４の側壁１４８に垂直に交差してもよく、平面端壁１４８は、近接スイッチ６０の頂部６４を含んでもよい。開口端１５０は、筐体１４０の内部容積１５２にアクセスを提供してもよい。１対の取付フランジ１５４ａ、１５４ｂは、開口端１５０に隣接した筐体１４０に固定されても、または筐体１４０と一体形成されてもよく、取付フランジ１５４ａ、１５４ｂは、それぞれが近接スイッチ６０の筐体１４０を、底部エンクロージャ２８の適切な部分に固定するボルトを受領するように適合された開口部を有してもよい。
【００２３】
図８および９を参照すると、近接スイッチ６０は、筐体１４０の内部容積１５２の内部に配置されたスイッチ組立体１５６を含んでもよい。スイッチ組立体はベース１５８を含んでもよく、該ベースはベースの第１の部分上に形成された支点１６０を含んでもよい。レバー１６２は、ヒンジピン１６４により支点１６０に枢動可能に結合されてもよい。ドライバ磁石１６６は、ベース１５６内に形成された空洞１６８内部に配置されてもよく、ドライバ磁石１６６は、実質的に長方形の断面形状を有してもよい。ドライバ磁石１６６は、ドライバ磁石１６６の長軸がベース１５６の長軸に平行であるように、細長いドライバ磁石１６６を空洞１６８の中に受領できるように、空洞１６８の高さ、幅、および奥行に厳密に対応する高さ、幅、および奥行を有してもよい。唇部１７０は、ドライバ磁石１６６を空洞１６８内部の所望の位置に維持するために、１対の対向して配置された外側縁に沿って延在してもよい。そのように構成されると、ドライバ磁石の長軸は、レバー１６２がヒンジピン１６４を中心に釣り合うとき、該レバーの長軸に平行であってもよい。ドライバ磁石１６６は、あらゆる適切な磁石材料または材料の組合せから作成されてもよい。たとえば、ドライバ磁石１６６はサマリウムコバルト磁石であってもよい。
【００２４】
またスイッチ組立体１５６は、端部キャップ１８０を通って外方に延在する複数のピン１８２を有する、端部キャップ１８０を含んでもよい。各ピン１８２は、以下により詳細に記載される手法で、スイッチ組立体１５６内で接触するために電気的に接続されてもよい。端部キャップ１８０は、スイッチ組立体１５６が筐体１４０内部に配置されている場合、複数のピン１８２のそれぞれが筐体１４０の長軸に実質的に平行であり、複数のピン１８２のそれぞれの遠位部が筐体１４０の開口端１５０の外に突出するように、ベース１５６の端部に固定されてもよい。また端部キャップ１８０は、端部キャップ１８０に堅固に結合され、筐体の長軸に平行に延在する、取付軸１８４を含んでもよい。
【００２５】
図８に示されたように、近接スイッチ６０はまた、筐体１４０の内部容積１５２の内部に配置された遮蔽１７２を含んでもよい。遮蔽１７２は、第１の壁１７４、およびそれぞれが第１の壁１７４の対向する外側縁から延びる１対の平行な外側壁１７６、１７８を含んでもよく、その結果、壁１７４、１７６、１７８は、筐体１４０の内部容積１５２の内部にスイッチ組立体１５６を受領し、保護するためのチャネルを画定する。
【００２６】
近接スイッチ６０のスイッチ組立体１５６は、フォームＣドライ接点などのドライ接点（すなわち、初めに電源に接続されない接点）を含んでもよい。たとえば、図１１Ａに示されたように、軸４４が、その位置でターゲット磁石５８が近接スイッチ６０の頂部６４の（破線領域１９６によって示された）所定の範囲の外側である第１の軸位置６１内にあるとき、ドライバ磁石１６６は、その位置でレバー１６２が「通常閉じている」接点Ｎ／Ｃを共通接点Ｃ（図１０Ａに概略的に示されている）と電気的に結合する第１の位置において、レバー１６２を維持するのに適切な強度のレバー１６２（またはレバー１６２に結合された要素）上に磁力をもたらしてもよい。この場合、通常閉じている接点Ｎ／Ｃおよび共通接点Ｃのそれぞれは、端部キャップ１８０を通って延在する対応するピン１８２に電気的に結合されている。共通接点Ｃが通常閉じている接点Ｎ／Ｃに電気的に結合されているとき、近接スイッチ６０は、第１の状態６６である。
【００２７】
軸４４は、第１の軸位置６１から図１１Ｂに示された第２の軸位置６３に回転されてもよく、第２の軸位置６３ではターゲット磁石５８は、近接スイッチ６０の頂部６４の所定の範囲１９６内部にある。この第２の軸位置６３において、レバー１６２（またはレバーに結合された要素）とターゲット磁石５８との間の磁力は、レバー１６２（またはレバーに結合された要素）とドライバ磁石１６６との間の磁力より強くなる。ターゲット磁石５８とレバー１６２（またはレバーに結合された要素）との間の力がより強くなることによって、レバー１６２がヒンジピン１６４を中心に第１の位置から、レバー１６２が「通常開いている」接点Ｎ／Ｏを共通接点Ｃと電気的に結合する第２の位置（図１０に概略的に示されている）に枢動する。この場合、通常開いている接点Ｎ／Ｏは、端部キャップ１８０を通って延在する対応するピン１８２に電気的に結合されている。レバー１６２は第２の位置にある状態で、近接スイッチ６０は第２の状態７０にある。近接スイッチ６０は、ターゲット磁石５８が頂部６４の所定の範囲内にある限り、第２の状態７０に維持されてもよい。しかし、ターゲット磁石５８が所定の範囲の外側に移動する場合は、近接スイッチ６０は、バイアスを第２の状態７０から第１の状態６６に変更する。
【００２８】
上述のように、近接スイッチ６０は、ターゲット磁石５８が近接スイッチ６０の頂部６４の所定の範囲１９６内部にあるときは、バイアスを第１の状態６６から第２の状態７０に変更する。所定の範囲１９６は、ドライバ磁石１６６によって生成された磁場のサイズによって画定されてもよく、ターゲット磁石５８は、ターゲット磁石５８によって生成された磁場のあらゆる部分が、ドライバ磁石１６６によって生成された磁場のあらゆる部分と交差するとき、所定の範囲１９６内部にあってもよい。同様に、ターゲット磁石５８は、ターゲット磁石５８によって生成された磁場のいかなる部分も、ドライバ磁石１６６によって生成された磁場の一部と交差しないとき、所定の範囲１９６の外側にあってよい。所定の範囲１９６は様々なサイズおよび形状を有することができ、数個の要因は、たとえば、ドライバ磁石１６６ならびにターゲット磁石５８の相対サイズ、厚さ、および／または強度などの、所定の範囲１９６のサイズおよび形状、ならびにドライバ磁石１６６およびターゲット磁石５８を分離する垂直距離に寄与してもよいことを、当業者は理解するはずである。１つまたは複数のこれらの変数を変えることによって、所定の範囲１９６のサイズを所望のサイズに調節してもよい。たとえば、ターゲット磁石５８は、ターゲット支持部５２の上の点から軸４４の長軸に沿って見た場合、ターゲット磁石５８のあらゆる部分が近接スイッチ６０の頂部６４のあらゆる部分と交差するとき、所定の範囲１９６の内部にあってもよい。また、上述された単極双投構成の代わりに、たとえば双極双投構成などの他の構成も可能であることも、当業者は理解するはずである。
【００２９】
上に簡単に説明されたように、ドライバ磁石１６６およびターゲット磁石５８の両方とも、サマリウムコバルト磁石であってもよい。サマリウムコバルト磁石は、従来の磁石に比べて面積比に対する比較的大きい強度を供給する。このような面積比に対する高い強度は、近接スイッチが上述のようにバイアスを変更する際に、接触圧を増加させ、ポジティブスナップをより多くするのを達成するのに役立つ。
【００３０】
近接スイッチ６０は、あらゆる適切な手法で底部エンクロージャ２８に結合されてもよい。たとえば、図３に示されたように、平面支持板１８６は、底部エンクロージャ２８のベース壁３０上に配置されてもよく、支持板１８６は、接着剤の使用または機械的結合によるなどの、当技術分野で公知のあらゆる手法によりベース壁３０に結合されてもよい。支持板１８６は、取付軸１８４、および近接スイッチ６０の筐体１４０を支持板１８６に固定するために、取付フランジ１５４ａ、１５４ｂの開口部を通って延在するボルトを受領するように適合された、予め形成された開口部１８８を有してもよい。開口部１８８は、たとえば、ターゲット磁石５８を近接スイッチ６０の頂部６４に隣接して配置できる場所などの、支持板１８６内のあらゆる望ましい場所に配置されてもよい。
【００３１】
先に説明されたように、閉鎖近接スイッチ組立体１０は、２つ以上の近接スイッチ６０を含んでもよい。たとえば、図３に示されたように、第２の近接スイッチ６０’も支持板１８６に取り付けられてもよく、第２の近接スイッチ６０’は、上述の第１の近接スイッチ６０と同一であってもよい。第２の近接スイッチ６０’は、底部エンクロージャ２８の支持板１８６（またはあらゆる他の部分）上のあらゆる所望の場所に配置されてもよい。たとえば、第１の近接スイッチ６０は、筐体１４０の長軸が軸４４の長軸と平行であり、筐体１４０の長軸が軸４４の長軸から第１の距離だけずれるように配置されてもよい。第２の近接スイッチ６０’は、筐体１４０’の長軸が軸４４の長軸と平行であり、筐体１４０の長軸が軸４４の長軸から実質的に第１の距離に等しい距離だけずれるように配置されてもよい。第１の近接スイッチ６０および第２の近接スイッチ６０’は、水平基準線が、軸４４、第１の近接スイッチ６０、および第２の近接スイッチ６０’の長軸を通過し得るように、軸４４を中心に対称に配置されてもよい。該別の方法では、軸４４の長軸に沿って見た場合、軸４４の長軸から第１の近接スイッチ６０の長軸に延在する第１の水平線部分と、軸４４の長軸から第２の近接スイッチ６０’の長軸に延在する第２の水平線部分との間の角度は約１８０°である。
【００３２】
３つの近接スイッチが使用される場合、３つの近接スイッチも軸４４を中心に対称に配置されてもよい。たとえば、軸４４の長軸から第１の近接スイッチ６０の長軸に延在する第１の水平線部分と、軸４４の長軸から第２の近接スイッチ６０’の長軸に延在する第２の水平線部分との間の角度は約１２０°である。加えて、軸４４の長軸から第２の近接スイッチ６０’の長軸に延在する第２の水平線部分と、軸４４の長軸から第３の近接スイッチ６０’’の長軸に延在する第３の水平線部分との間の角度は約１２０°である。
【００３３】
図７Ａに示されたように、閉鎖近接スイッチ組立体１０は、１つまたは複数の端子板１９０を含んでもよい。１つまたは複数の端子板１９０は、１つまたは複数の端子板１９０が、軸４４を中心とするターゲット支持部５２の回転を妨げないように、支持板１８６にあらゆる適切な場所で結合されてもよい。１つまたは複数の端子板１９０は、支持板１８６に直接結合されてもよく、または支持板１８６もしくは直立ブラケット１９１などの底部エンクロージャ２８のあらゆる部分に固定された、結合要素に結合されてもよい。端子板１９０は、取付ファスナが通過し得る、管形状スタンドオフを使用するセラミック絶縁体ベースを有してもよい。この構造は、取付面と端子板１９０との間に空隙を提供し、それによって端子板１９０と取付面との間の熱伝導を低減する。
【００３４】
各端子板１９０は、近接スイッチ６０のあらゆる複数のピン１８２に電気的に結合された１つまたは複数のワイヤ（図示せず）をそれぞれが受領するように適合されてもよい。また端子板１９０は、底部エンクロージャ２８の側部開口部１２８を通って延在し得る１つまたは複数のワイヤを受領するように適合されてもよく、側部開口部１２８を通って延在するこれらのワイヤは、制御装置または診断装置などの１つまたは複数の外部装置に接続されるように適合されてもよい。端子板１９０は、近接スイッチ６０のピン１８２に結合されたワイヤの１つを、当技術分野に公知の手法で側部開口部１２８を通って延在するワイヤに電気的に結合するように作動する。上述の構造の代わりに、または上述の構造に加えて、あらゆる構造または組合せまたはワイヤは、端子板１９０を通って相互接続されてもよい。たとえば、電力を提供するワイヤは、近接スイッチ６０のピン１８２に電気的に結合されたワイヤに相互接続されてもよい。あらゆる適切な端子板１９０は、閉鎖近接スイッチ組立体１０内に含まれてもよい。たとえば、端子板１９０は、放射線耐性の高温端子板であってもよい。このような端子板１９０は、ライトンまたは同様の材料から作成されてもよい。また端子板１９０は、腐食に耐性を有するために金属内部構成要素を含んでもよい。送信装置（図示せず）は、１つまたは複数の端子板１９０に結合されてもよく、このような送信装置は、制御弁の弁要素の位置を決定するために、１つまたは複数の近接スイッチ６０の状態を示すために、制御装置などの１つまたは複数の外部装置と無線で通信してもよい。
【００３５】
作動中、閉鎖近接スイッチ組立体１０は、核応用のために使用される制御弁の回転ステムなどの、弁要素（図示せず）に結合されてもよい。閉鎖近接スイッチ組立体１０は、襟部または他のタイプのアダプタによるなどの、当技術分野に公知のあらゆる手段により弁要素に結合されてもよい。加えて、底部エンクロージャ２８は、たとえば、底部エンクロージャ２８の底部表面上に配置された開口部１９４の中に延在するボルトにより、弁の一部に結合されてもよい。閉鎖近接スイッチ組立体１０は、弁が第１の位置にあるとき、近接スイッチ６０が第１の状態６６にあるように、ターゲット磁石５８が、近接スイッチ６０の頂部６４の所定の範囲外にある、第１の軸位置６１に軸４４があるように校正されてもよい。しかし、弁が第２の位置にあるとき、近接スイッチ６０が第２の状態７０に移動するように、ターゲット磁石５８が近接スイッチ６０の頂部６４の所定の範囲内にある第２の軸位置６３の中に軸４４を回転させる。先に説明されたように、近接スイッチ６０は、ターゲット磁石５８が頂部６４の所定の範囲内にある限り、第２の状態７０に維持される。ターゲット磁石５８が所定の範囲外に移動されると、近接スイッチ６０は、バイアスを第２の状態７０から第１の状態６６に変更する。近接スイッチ６０が第２の状態７０にあるように、ターゲット磁石５８が近接スイッチ６０の頂部６４の所定の範囲内にある第２の軸位置６３に軸４４を維持することができ、軸４４を第１の軸位置６１の中に回転させることができ、それによって、軸４４に結合された制御要素が回転される、あるいはずらされると、近接スイッチが第１の状態６６に移動されることが、当業者には理解されるはずである。この構成において、図１０Ａおよび１０Ｂに示された通常開いている接点および通常閉じている接点は役割を交代するはずであることが、当業者には理解されるはずである。
【００３６】
追加の近接スイッチ６０が使用される場合、ターゲット磁石５８（またはターゲット支持部５２に結合された追加のターゲット磁石）は、上に説明されたように、追加の近接スイッチ６０のバイアスを第１の状態６６から第２の状態７０に（およびその逆に）変更してもよい。端子板１９０に連結されたワイヤに接続された制御装置（または他の装置）は、制御弁の弁要素の位置を決定するために、１つまたは複数の近接スイッチ６０の状態を示してもよい。
【００３７】
頂部エンクロージャ１２または底部エンクロージャ２８の外側に配置された磁気インターロックインジケータ（図示せず）などの閉鎖近接スイッチ組立体１０に、追加の特徴が組み込まれてもよい。磁気インターロックインジケータは、近接スイッチ６０が第１の状態６６であるか、または第２の状態７０であるかを示してもよい。磁気インターロックインジケータは、頂部エンクロージャ１２内のノブを使用する機械加工の棒設計を有してもよく、または磁気インターロックインジケータは、ターゲット磁石の磁気吸引によって駆動された摩擦のない磁気浮揚を含んでもよい。また閉鎖近接スイッチ組立体１０は、取り付けられた電磁弁を含んでもよい。
【００３８】
上述の閉鎖近接スイッチ組立体１０の実施形態は、核応用などの危険な環境に使用するための抑制された環境を提供する。より具体的には、閉鎖近接スイッチ組立体１０は、核施設で格納容器の事故またはＬＯＣＡ（ｌｏｓｓ  ｏｆ  ｃｏｏｌａｎｔ  ａｃｃｉｄｅｎｔ（冷却材流出事故））中に起きる高温および圧力に耐えることを意図し、閉鎖近接スイッチ組立体１０は、防爆性エンクロージャであってもよい。このレベルの保護は、軸突起２０の内部孔部２４が頂部エンクロージャ１２の外部と流体連通しない閉鎖容積であるので、軸開口部（または他の侵入点）による、頂部エンクロージャ１２を通る潜在的なリークパスの排除にある程度起因する。他のリークパスは、封止部１１６、１３２などの封止部によって防止され、これらは放射線耐性の高温シリコーン材料から作られてもよい。端子板１９０から（または１つもしくは複数の近接スイッチ６０から直接）延びて底部エンクロージャ２８の側部開口部１２８を通るワイヤは、潜在的なリークパスをさらに防止するために側部開口部に封止して結合され得る、放射線耐性導管（図示せず）によって保護されてもよい。
【００３９】
また上述の閉鎖近接スイッチ組立体１０は、所望の用途のために変化され、それによって構成が修正されるべき際に、組立体全体の置換に関連した費用を削減するために、近接スイッチ６０の数および配置が可能なモジュール設計、ならびに他の構成部品を提供する。加えて、核接続箱は、必ずしも閉鎖近接スイッチ組立体１０を伴う必要がなく、閉鎖近接スイッチ組立体１０は、従来のスイッチエンクロージャより必要な導管が少なく、この両方がさらに費用を削減し、導入に必要な労力が少ないことを当業者は理解するはずである。
【００４０】
様々な実施形態が上に説明されたが、本開示はそれに限定されることを意図しない。さらに変形形態を、本開示の実施形態に対して添付の特許請求の範囲内で行うことができる。
【図１】
2014513402.tif 000003
【図２】
2014513402.tif 000004
【図３】
2014513402.tif 000005
【図４】
2014513402.tif 000006
【図５】
2014513402.tif 000007
【図６】
2014513402.tif 000008
【図７Ａ】
2014513402.tif 000009
【図７Ｂ】
2014513402.tif 000010
【図８】
2014513402.tif 000011
【図９】
2014513402.tif 000012
【図１０Ａ】
2014513402.tif 000013
【図１０Ｂ】
2014513402.tif 000014
【図１１Ａ】
2014513402.tif 000015
【図１１Ｂ】
2014513402.tif 000016
【国際調査報告】
2014513402.tif 000017
2014513402.tif 000018
2014513402.tif 000019